(57)【要約】【課題】エレベータ稼働初期に発生する初期伸び、その後の経時的な伸び、及び季節性のある湿度変化に伴って変化するロープ長の伸縮を考慮してロープの伸び量を予測する。【解決手段】エレベータ装置１０の現場仕様情報を記憶する現場仕様情報格納部３５１と、エレベータ装置１０の現場環境情報を記憶する現場環境情報格納部３５２と、ロープ１７の季節性伸縮情報を記憶するロープの季節性伸縮情報格納部３５６と、ロープ１７の初期伸びおよび経時的伸び情報を記憶するロープの初期伸びおよび経時的情報格納部３５７と、を備え、 センタ制御部３３は、現場仕様情報格納部３５１に記憶された現場仕様情報および現場環境情報格納部３５２に記憶された現場環境情報に基づいて季節性伸縮情報を取得し、当該季節性伸縮情報とロープの初期伸びおよび経時的伸び情報に基づいて納入時または交換時からのロープ使用時間に対するロープ１７の伸び量を予測する。【選択図】図１
2017149567.tif 000002
【特許請求の範囲】
【請求項１】
エレベータ装置の乗りかごと釣合い錘を連結するロープの伸び量を予測手段によって予測するロープ伸び量予測装置において、
前記エレベータ装置の現場仕様情報を記憶する仕様情報記憶手段と、
前記エレベータ装置の現場環境情報を記憶する環境情報記憶手段と、
前記ロープの季節性伸縮情報を記憶する季節性伸縮情報記憶手段と、
前記ロープの初期伸びおよび経時的伸び情報を記憶する伸び情報記憶手段と、
を備え、
前記予測手段は、前記仕様情報記憶手段に記憶された前記現場仕様情報および前記環境情報記憶手段に記憶された前記現場環境情報に基づいて前記季節性伸縮情報を取得し、当該季節性伸縮情報と前記ロープの初期伸びおよび経時的伸び情報に基づいて納入時または交換時からのロープ使用時間に対する前記ロープの伸び量を予測することを特徴とするロープ伸び量予測装置。
【請求項２】
請求項１に記載のロープ伸び量予測装置において、
前記現場環境情報を取得するための現場環境情報取得手段を備えたことを特徴とするロープ伸び量予測装置。
【請求項３】
請求項２に記載のロープ伸び量予測装置において、
前記現場環境情報取得手段が、前記エレベータ装置に設置された温度センサおよび湿度センサであることを特徴とするロープ伸び量予測装置。
【請求項４】
請求項２に記載のロープ伸び量予測装置において、
前記現場環境情報取得手段が、前記エレベータ装置が設置された地域の気象観測設備で取得された温度情報および湿度情報を受信する通信手段であることを特徴とするロープ伸び量予測装置。
【請求項５】
請求項１ないし４のいずれか１項に記載のロープ伸び量予測装置において、
個々のエレベータ装置のロープ伸び量情報を記憶するロープ長確認・調整実績情報記憶手段と、
一定程度以上のロープ長の伸び量が確認されたエレベータ装置の口−プ長確認調整作業の作業期限日及び調整指示内容を記憶するロープ長確認・調整指示情報記憶手段と、
を備え、
前記予測手段は、一定程度以上のロープ長の伸び量が確認されたエレベータ装置の口−プ長確認調整作業の作業期限日及び調整指示内容を前記ロープ長確認・調整指示情報記憶手段に記憶させるとともに、前記エレベータ装置の保守を行う際に使用する保守端末装置に口−プ長確認調整作業の作業期限日及び調整指示内容を通知することを特徴とするロープ伸び量予測装置。
【請求項６】
請求項１ないし５のいずれか１項に記載のロープ伸び量予測装置において、
前記予測手段は、前記季節性伸縮情報記憶手段に記憶された季節性伸縮情報と前記伸び情報記憶手段に記憶された初期伸びおよび経時的伸び情報とを加算してロープの伸び量の推移特性を取得し、当該推移特性に基づいて前記ロープの伸び量を予測することを特徴とするロープ伸び量予測装置。
【請求項７】
乗りかごと釣合い錘を連結するロープを駆動して乗りかごを昇降させるエレベータ装置において、
請求項１ないし６のいずれか１項に記載のロープ伸び量予測装置を備えたことを特徴とするエレベータ装置。
【請求項８】
乗りかごと釣合い錘を連結するロープを駆動して乗りかごを昇降させるエレベータ装置と、
請求項１ないし６のいずれか１項に記載のロープ伸び量予測装置を備え、通信手段を介して通信可能に接続され、前記エレベータ装置の状態を監視する監視センタと、
を備えたエレベータ装置のロープ伸び量予測システム。
【発明の詳細な説明】
【技術分野】
【０００１】
本発明は、エレベータかごと釣合い錘を連結するロープのロープ伸び量予測装置、当該ロープ伸び量予測装置を備えたエレベータ装置、およびエレベータ装置と当該ロープ伸び量予測装置を備えた監視センタからなるエレベータ装置のロープ伸び量監視システムに関する。
【背景技術】
【０００２】
エレベータと釣合い錘を連結するロープの伸び状態を安全装置が動作する前に認知することができる技術として、例えば特開平９−１６９４７７号公報（特許文献１）あるいは特開平８−０４８４７２号公報（特許文献２）に記載された発明が公知である。
【０００３】
このうち特許文献１にはエレベータの運行情報を記録する記録手段と、運行情報に基づいてロープ伸び量を演算する演算手段と、ロープ伸び量を記憶する記憶手段と、を備えたエレベータのロープ伸び診断装置が開示されている。この特許文献１記載の技術では、エレベータの運行情報は記録手段により記録され、この運行情報に基づいて演算手段がロープ伸び量を演算し、記憶手段により前記演算結果、すなわち、口−プ伸び量が記憶される。そして、点検員等が前記記憶手段に記憶されたロープ伸び量を必要時に確認することによりロープ伸び量を詔知する。これによって、安全装置が動作する前にロープの伸び状態を認知することが可能となる。
【０００４】
また、特許文献２には、昇降路に設置され、張り車の昇降に追従して前記安全スイッチを昇降させる移動手段と、昇降路に設置され、昇降路の湿度を検出する湿度検出手段と、この湿度検出手段によって検出された昇降路の湿度とエレベータ用ロープの長さとからエレベータ一用ロープの湿度による伸縮量を演算すると共に、エレベータ用ロープの伸縮量に応じて移動手段を作動させる制御手段とを備えたエレベータの安全装置が開示されている。この特許文献２に記載の技術では、湿度検出手段が昇降路内の湿度を検出し、制御手段が湿度とエレベータ用ロープの長さとからエレベータ用ロープの湿度による伸縮量を演算し、その伸縮量を想定し、張り車の上昇又は下降した量に応じて安全スイッチを上昇又は下降させることができるようになっている。
【先行技術文献】
【特許文献】
【０００５】
【特許文献１】特開平９−１６９４７７号公報
【特許文献２】特開平8―０４８４７２号公報
【発明の概要】
【発明が解決しようとする課題】
【０００６】
特許文献１に開示された技術においては、ロープ伸び量が所定の値を超えたときに出力信号を出力し、この出力信号に応じて送信手段により外部へ予告警報を送信することで、ロープの調整や切り詰め作業を要することを認知することができる。その結果、ロープに対して必要な処置を施すことが可能となる。しかし、ロープ調整、切詰め作業するロープ長さについては考慮されておらず、特許文献２における季節性を持つ湿度変化によるロープの伸縮についても考慮れていない。
【０００７】
特許文献２に開示された技術においては、季節性を持つ湿度変化によるロープ径及びロープ長の変化に関する考慮はなされているものの、エレベータ使用に伴うロープの伸びに関する考慮がなされていない。
【０００８】
本発明は、前述した従来技術における実情からなされたもので、本発明が解決しようとする課題は、エレベータ装置の乗りかごと釣合い錘を連結するロープのエレベータ稼働初期に発生する初期伸び、その後の経時的な伸び、及び季節性のある湿度変化に伴って変化するロープ長の伸縮を考慮して前記ロープの伸び量を予測することにある。
【課題を解決するための手段】
【０００９】
前記課題を解決するため、本発明の一態様は、エレベータ装置の乗りかごと釣合い錘を連結するロープの伸び量を予測手段によって予測するロープ伸び量予測装置において、前記エレベータ装置の現場仕様情報を記憶する仕様情報記憶手段と、前記エレベータ装置の現場環境情報を記憶する環境情報記憶手段と、前記ロープの季節性伸縮情報を記憶する季節性伸縮情報記憶手段と、前記ロープの初期伸びおよび経時的伸び情報を記憶する伸び情報記憶手段と、を備え、前記予測手段が、前記仕様情報記憶手段に記憶された前記現場仕様情報および前記環境情報記憶手段に記憶された前記現場環境情報に基づいて前記季節性伸縮情報を取得し、当該季節性伸縮情報と前記ロープの初期伸びおよび経時的伸び情報に基づいて納入時または交換時からのロープ使用時間に対する前記ロープの伸び量を予測することを特徴とする。
【発明の効果】
【００１０】
本発明の一態様によれば、エレベータのかごと釣合い錘を連結するロープのエレベータ稼働初期に発生する初期伸び、その後の経時的な伸び、及び季節性のある湿度変化に伴って変化するロープ長の伸縮を考慮して前記ロープの伸び量を予測することができる。なお、前記以外の課題、構成及び効果は、以下の実施形態の説明において明らかにされる。
【図面の簡単な説明】
【００１１】
【図１】本発明の実施形態に係るエレベータの乗りかごと釣合い錘を連結するロープの伸び量予測システムのシステム構成を示す図である。
【図２】ロープの初期伸びおよび経時的なロープの伸縮特性と季節によるロープの伸縮特性を示す図である。
【発明を実施するための形態】
【００１２】
以下、図面を参照し、本発明の実施形態について詳細に説明する。
【００１３】
図１は、エレベータの乗りかごと釣合い錘を連結するロープの伸び量予測システムのシステム構成を示す図である。
【００１４】
図１において、ロープ伸び量予測システム（以下、単に予測システムと称す。）１００は、１以上のエレベータ装置１０と、監視センタ３０とから構成され、両者は例えばインターネット５などの通信手段を介して通信可能に接続されている。
【００１５】
エレベータ装置１０は、乗りかご１１と釣合い錘１３とを備え、両者は綱車１５に巻き掛けられたロープ１７によって連結されている。エレベータ装置１０は、エレベータ装置１０の運転を制御するとともに、エレベータ装置１０の各部を制御するエレベータ制御部１９と外部と通信を行うためのエレベータ通信部２１を備えている。
【００１６】
監視センタ３０は、センタ通信部３１、センタ制御部３３およびデータベース３５を備えている。センタ通信部３１はセンタ制御部３３がエレベータ装置１０から送られてくる情報を受信し、エレベータ装置１０に必要な指示を送信するためのものである。センタ制御部３３は、当該監視センタ３０の各部を制御するとともに、各地域あるいは各地に設置された１以上（通常は複数）のエレベータ装置１０から送られてくる情報に基づいてそれぞれのエレベータ装置１０の各部の状態を監視し、データベース３５に格納された各種情報を参照してエレベータ装置１０の運転制御および保守制御に関する指示をエレベータ制御部１９に対して行う。
【００１７】
データベース３５は、大容量記憶装置、例えばハードディスク装置の複数の記憶領域である各格納部に設定される。各格納部は、現場仕様情報格納部３５１、現場環境情報格納部３５２、現場稼働情報格納部３５３、ロープ交換実績情報格納部３５４、ロープ長確認・調整実績情報格納部３５５、ロープの季節性伸縮情報格納部３５６、ロープの初期伸びおよび経時的伸び情報格納部３５７およびロープ長確認・調整指示情報格納部３５８を含む。
【００１８】
現場仕様情報格納部３５１は、個々のエレベータ装置１０の製品番号、納入年月、速度、積載、住所、ロープ長、ロープの部品番号、ロープ径及びロープ長の上限及び下限の管理値などの各情報（仕様情報）を格納し、蓄積する。これらの情報は、エレベータ制御部１９から監視センタ３０のセンタ制御部３３に送信され、センタ制御部３３によって現場仕様情報格納部３５１に格納される。
【００１９】
現場環境情報格納部３５２は、個々のエレベータ装置１０で計測している環境温度、湿度（蒸気圧）等の日々及び月の最大値、最小値、平均値などの環境情報を格納し、蓄積する。これらの環境情報は、エレベータ制御部１９から監視センタ３０のセンタ制御部３３に送信され、センタ制御部３３によって現場環境情報格納部３５２に格納される。環境温度、湿度の計測は、現場環境情報取得手段としての温度センサ２３および湿度センサ２５により行われ、計測した情報はエレベータ制御部１９に入力され、監視センタ３０のセンタ制御部３３に送信される。
【００２０】
現場稼働情報格納部３５３は、個々のエレベータ装置１０で計測された納入からの経過月数、累積走行時開、累積起動回数、累積走行距離、月走行時間、月起動回数、月走行距離などの稼働情報を格納し、蓄積する。これらの稼働情報は、エレベータ制御部１９から監視センタ３０のセンタ制御部３３に送信され、センタ制御部３３によって現場稼働情報格納部３５３に格納される。
【００２１】
ロープ交換実績情報格納部３５４は、個々のエレベータ装置１０のロープ１７の交換実施日、交換前後のロープ長確認結果、釣合い錘下部の交換前後の調整台個数を含むロープ１７の交換実績ならびに周辺情報などの交換実績情報を格納し、蓄積する。これらの交換実績情報は、保守員が携帯端末などの保守端末装置４０から監視センタ３０のセンタ制御部３３に送信され、センタ制御部３３によってロープ交換実績情報格納部３５４に格納される。
【００２２】
ロープ長確認・調整実績情報格納部３５５は、個々のエレベータ装置１０のロープ１７の伸び量確認実施日、ロープ調整前後のロープ長確認結果、ロープ長調整内容などロープ長確認や調整した実績情報などのロープ伸び量情報を格納し、蓄積する。これらのロープ伸び量情報は、保守員が保守端末装置４０から監視センタ３０のセンタ制御部３３に送信され、センタ制御部３３によってロープ長確認・調整実績情報格納部３５５に格納される。
【００２３】
ロープの季節性伸縮情報格納部３５６には、ロープ長確認・調整実績情報格納部３５５と、現場仕様情報格納部３５１および現場環境情報格納部３５２に格納され、蓄積された住所、温度、湿度（蒸気圧）などのエレベータの環境情報と、ロープ長確認・調整実績情報格納部３５５に格納、蓄積されたロープ伸び量情報と、を用いて、センタ制御部３３でロープ１７の季節性による伸縮を評価した結果が格納され、蓄積される。
【００２４】
ロープの初期伸び及び経時的伸び情報格納部３５７には、現場仕様情報格納部３５１および現場稼働情報格納部３５３に格納、蓄積された仕様情報および稼働情報と、ロープ交換実績情報格納部３５４及びロープ長確認・調整実績情報格納部３５５に格納、蓄積された交換実績情報およびロープ伸び量情報などのロープ作業実績を用いて、ロープ１７の初期伸び及び経時的伸びを評価した結果が格納され、蓄積される。
【００２５】
ロープ長確認・調整指示情報格納部３５８には、一定程度以上のロープ長の伸び量が確認されたエレベータ装置１０の口−プ長確認調整作業の作業期限日及び調整指示内容が格納され、蓄積される。センタ制御部３３はこの格納された情報に基づいて該当するエレベータ装置１０について保守作業員にロープ長の確認、調整作業を指示する。
【００２６】
本実施形態では、センタ制御部３３が、ロープの季節性伸縮情報格納部３５６に格納された季節性による伸縮を評価した結果と、ロープの初期伸び及び経時的伸び情報格納部３５７に格納されたロープ１７の初期伸び及び経時的伸びを評価した結果に基づいて保守時におけるロープ１７の伸び量を評価する。この評価は、図２に示した経時的なロープ１７の伸縮特性を示す図に基づいて行われる。この評価がすなわち予測であり、本実施形態では、センタ制御部３３が予測手段として機能する。
【００２７】
さらに詳しく言うと、図２は、エレベータかごと釣合い錘を連結するロープ１７の単位長さ当たりの初期伸び及び経時的伸び量と、季節によるロープ１７の伸縮から成る単位長さ当たりのロープ伸び量を、納入時もしくはロープ交換時からのロープ使用時間の関数として示した図である。図２において、ロープ１７の単位長さ当たりの初期伸び及び経時的伸びは符号５０で、季節によるロープ１７の伸縮から成る単位長さ当たりのロープ伸びは符号６０で示している。前記２つの伸び量を加算すると、実際のロープ１７の伸び量となる。この伸び量を予測できれば、ロープ１７の伸び量を確認する確認作業が不要となり、大幅な作業効率の向上を望むことができる。ここでいう伸び量はロープ１７の伸び量の推移７０として図２に示されている。
【００２８】
ロープ１７の単位長さ当たりの初期伸び及び経時的伸び５０のデータ（情報）はロープの初期伸び及び経時的伸び情報格納部３５７に格納されて蓄積され、季節によるロープ１７の伸縮から成る単位長さ当たりのロープ伸び６０のデータ（情報）はロープの季節性伸縮情報格納部３５６に格納されて蓄積される。
【００２９】
一般的に、ロープ伸び量はロープ長と比例関係になることが知られており、図２に示すようにロープ１７の初期伸び及び経時的伸びと季節によるロープ１７の伸縮の２つの要素があることがわかっている。ロープ１７の初期伸び及び経時的伸び５０は、ロープ交換時からのロープ使用時間、例えば、ロープ１７が使用されている月数あるいはロープ１７が使用されてからのエレベータの累積走行時間などにより伸びていくこと、季節で変化するロープ１７の伸縮は温度、湿度（正確には蒸気圧）などで伸縮することが、例えば特許文献２に開示されているように公知である。
【００３０】
このうち、ロープ１７の初期伸び及び経時的伸び５０はロープ使用開始時顕著に発生し、時間が経つとともに時間当たりの伸び量は一定になっていく傾向があり、ロープ１７の使用時間との関係は指数関数や対数関数で近似できる。また季節で変化するロープ１７の伸縮は、温度湿度（蒸気圧）により変化することが知られているが、これは蒸気圧の影響によりロープ内部の麻芯が水気を吸収することで膨張、収縮することによるものである。そのため、夏場は気温上昇とともに蒸気圧が高くなり麻芯が膨張し、ロープ１７は相対的に短くなる。冬場は気温低下によって蒸気圧が低くなり麻芯は収縮し、ロープ長は相対的に長くなる。このため、温度および湿度（蒸気圧）と伸び量との関係を経時的に記憶し、データ量を大きくすることにより温度および湿度と伸び量との予測値と実測値のずれをより小さくするようにしている。
【００３１】
エレベータ装置１０は、万が一エレベータの乗りかご１１や釣合い錘１３が異常走行した場合の備えとして、乗りかご１１や釣合い錘１３が昇降する塔内下部に、緩衝器を備えている。通常は乗りかご１１最下階にいるときの乗りかご１１の底部と緩衝器頂部の間隙、もしくは、乗りかご１１が最上階にいる時の釣合い錘１３の下部と緩衝器頂部の間隙で管理されている。そのため、エレベータ装置１０ではロープ長が前記間隙を保持することのできない長さ以上伸びると、緩衝器頂部と乗りかご１１の下部、あるいは釣合い錘１３の下部が干渉し、通常の走行ができなくなってしまう。
【００３２】
逆に、ロープ１７が必要以上に短くなってしまうと、乗りかご１１や釣合い錘１３が塔内頂部で周辺機器と干渉し、同様にエレベータ装置１０は通常の走行ができなくなり、エレベータ装置１０としての機能を果たすことができなくなる。そのため、エレベータ装置１０では、ロープ長を一定程度の範囲で管理しなければならない。
【００３３】
以上のことから、一般的にロープ１７は伸びていく傾向にあるため、適切な時期にロープ１７を切詰める必要がある。しかし、ロープ１７の切詰め作業は乗りかご１１や釣合い錘１３を固定する必要があり、人数や時間の面で大掛かりとなる。そのため、釣合い錘１３の下部に設けられている調整台を取り外すことで、乗りかご１１あるいは釣合い錘１３と緩衝器との間隙を調整することも可能となっている。
【００３４】
本実施形態では、センタ制御部３３が、前記データベース３５の各格納部３５１〜３５８に格納された各情報を適宜組み合わせることにより、図２に示す経過月数や累積走行時間といったロープ使用時間と単位長当たりのロープ伸び量の関係を明確にすることができる。そのため、センタ制御部３３は、ロープの季節性伸縮情報格納部３５６に格納された季節性による伸縮を評価した結果と、ロープの初期伸び及び経時的伸び情報格納部３５７に格納されたロープ１７の初期伸び及び経時的伸びを評価した結果に基づいて保守時におけるロープ１７の伸びをより精度の高く予測することができる。
【００３５】
そこで、センタ制御部３３は、予測値が例えば６ヶ月以内にロープ長の管理値を超えると判断した場合には、その作業期限日及びロープ１７の調整指示内容（切詰め長さや作業台調整高さ）をロープ長確認・調整指示情報としてロープ長確認・調整指示情報格納部３５８に格納する。これと並行して保守端末装置４０にその情報を送信し、保守員が該当するエレベータ装置１０の作業期限日及びロープ１７の調整指示内容を具体的に指示する。
【００３６】
その際、作業期限目に対し、作業実施部署もしくはエレベータを所有する客先の事情により作業予定日が変更・設定された場合には、その旨、保守端末装置４０あるいは監視センタ３０の図示しない入力装置から入力すると、センタ制御部３３は、作業予定日のエレベータの環境温度、湿度（蒸気圧）情報に応じて、調整指示内容（切詰め長さや作業台調整高さ）を変更する。そして、変更した情報を、ロープ長確認・調整指示情報格納部３５８に格納し、保守端末装置４０にその情報を送信する。これにより、現場では、作業予定日の変更に対処することができる。
【００３７】
このように、本実施形態では、エレベータ装置１０の乗りかご１１と釣合い錘１３を連結するロープ１７の伸び量の予測は監視センタ３０で実施される。そして、ロープ長の管理、調整作業指示は個々のエレベータ装置１０の作業計画に組み込まれ、ロープ長に関する情報はエレベータ保守作業者の所持する保守端末装置４０に送信され、保守作業者がそれぞれロープ長に関する情報を確認することができる。
【００３８】
なお、本実施形態では、監視センタ３０でロープ伸び量を予測するように構成されているが、データベース３５をエレベータ装置１０のエレベータ制御部１９側に設ければ、個々のエレベータ装置１０で、自身のロープ伸び量を予測し、保守管理を行うことができる。
【００３９】
また、本実施形態では、環境情報を個々のエレベータ装置１０で取得し、現場環境情報格納部３５２に蓄積して使用しているが、例えば地域の気象台（あるいは気象庁）のデータベース２００などにアクセスしてエレベータ装置１０が設置されている地域の環境情報として取得し、蓄積することも可能である。この場合には、エレベータ装置１０に温度や湿度などを検出するセンサが不要となる。
【００４０】
以上のように、本実施形態によれば、次のような効果を奏する。なお、以下の説明では、特許請求の範囲における各構成要素と本実施形態の各部について対応を取り、両者の用語が異なる場合には後者をかっこ書きで示し、両者の対応関係を明確にした。
【００４１】
（１）  本実施形態によれば、エレベータ装置１０の乗りかご１１と釣合い錘１３を連結するロープ１７の伸び量を予測手段（センタ制御部３３、エレベータ制御部１９）によって予測するロープ伸び量予測装置において、前記エレベータ装置１０の現場仕様情報を記憶する仕様情報記憶手段（現場仕様情報格納部３５１）と、前記エレベータ装置１０の現場環境情報を記憶する環境情報記憶手段（現場環境情報格納部３５２）と、前記ロープの季節性伸縮情報（６０）を記憶する季節性伸縮情報記憶手段（ロープの季節性伸縮情報格納部３５６）と、前記ロープ１７の初期伸びおよび経時的伸び情報（５０）を記憶する伸び情報記憶手段（ロープの初期伸びおよび経時的情報格納部３５７）と、を備え、 前記予測手段（センタ制御部３３、エレベータ制御部１９）は、前記仕様情報記憶手段（現場仕様情報格納部３５１）に記憶された前記現場仕様情報および前記環境情報記憶手段（現場環境情報格納部３５２）に記憶された前記現場環境情報に基づいて前記季節性伸縮情報（６０）を取得し、当該季節性伸縮情報（６０）と前記ロープ１７の初期伸びおよび経時的伸び情報（５０）に基づいて納入時または交換時からのロープ使用時間に対する前記ロープ１７の伸び量を予測するので、エレベータのかごと釣合い錘を連結するロープ１７のエレベータ稼働初期に発生する初期伸び、その後の経時的な伸び、及び季節性のある湿度変化に伴って変化するロープ長の伸縮を考慮して前記ロープ１７の伸び量を予測することができる。
【００４２】
（２）  前記（１）のロープ伸び量予測装置において、前記現場環境情報を取得するための現場環境情報取得手段を備えた実施形態によれば、直接的または間接的に現場環境情報を取得することができる。
【００４３】
（３）  前記（２）のロープ伸び量予測装置において、前記現場環境情報取得手段が、前記エレベータ装置１０に設置された温度センサ２３および湿度センサ２５である実施形態によれば、エレベータ装置の環境情報を直接的に取得することができる。
【００４４】
（４）  前記（２）のロープ伸び量予測装置において、前記延場環境情報取得手段が、前記エレベータ装置１０が設置された地域の気象観測設備で取得された温度情報および湿度情報（気象台データベース２００）を受信する通信手段である実施形態によれば、エレベータ装置の環境情報を間接的に取得することができる。その際、地域の状態を気象台で専門的に取得した気象情報を使用するので、直接的に環境情報を取得する手段が不要になる。
【００４５】
（５）  前記（１）ないし（４）のロープ伸び量予測装置において、個々のエレベータ装置１０のロープ伸び量情報を記憶するロープ長確認・調整実績情報記憶手段（ロープ長確認・調整実績情報格納部３５５）と、一定程度以上のロープ長の伸び量が確認されたエレベータ装置１０の口−プ長確認調整作業の作業期限日及び調整指示内容を記憶するロープ長確認・調整指示情報記憶手段（ロープ長確認・調整指示情報格納部３５８）と、を備え、前記予測手段（センタ制御部３３、エレベータ制御部１９）は、一定程度以上のロープ長の伸び量が確認されたエレベータ装置１０の口−プ長確認調整作業の作業期限日及び調整指示内容を前記ロープ長確認・調整指示情報記憶手段（ロープ長確認・調整指示情報格納部３５８）に記憶させるとともに、前記エレベータ装置１０の保守を行う際に使用する保守端末装置４０に口−プ長確認調整作業の作業期限日及び調整指示内容を通知するので、無駄なくロープ長伸びに関する保守を実施することができる。
【００４６】
（６）  前記（１）ないし（５）のロープ伸び量予測装置において、前記予測手段（センタ制御部３３、エレベータ制御部１９）は、前記季節性伸縮情報記憶手段（ロープの季節性伸縮情報格納部３５６）に記憶されたロープ１７の季節性伸縮情報（６０）と、前記伸び情報記憶手段（ロープの初期伸びおよび経時的情報格納部３５７）に記憶された初期伸びおよび経時的伸び情報（５０）と、を加算して、それぞれ前記納入時または交換時からのロープ使用時間に対する変化特性（ロープ伸び量の推移７０）を取得し、当該推移特性に基づいて前記ロープ１７の伸び量を予測する実施形態によれば、前記変化特性（ロープ伸び量の推移７０）が季節性のロープ１７の伸縮情報と経時的なロープ１７の伸び情報とを含むので、精度の高い予測が可能となる。
【００４７】
（７）  乗りかご１１と釣合い錘１３を連結するロープ１７を駆動して乗りかご１１を昇降させるエレベータ装置１０において、前記（１）ないし（６）のいずれかのロープ伸び量予測装置を備えた実施形態によれば、前記（１）ないし（６）に記載した効果を奏するエレベータ装置とすることができる。
【００４８】
（８）  乗りかご１１と釣合い錘１３を連結するロープ１７を駆動して乗りかご１１を昇降させるエレベータ装置１０と、前記（１）ないし（６）のいずれかのロープ伸び量予測装置を備え、通信手段（エレベータ通信部２１、インターネット５、センタ通信部３１）を介して通信可能に接続され、前記エレベータ装置１０の状態を監視する監視センタ３０と、を備えたエレベータ装置１０のロープ伸び量予測システム１００を構成した実施形態によれば、前記（１）ないし（６）に記載した効果を奏するロープ伸び量予測システムとすることができる。
【００４９】
その際、監視センタ３０にロープ伸び量予測機能を持たせるので、監視センタ３０が受け持つエレベータ装置１０のそれぞれについて前記（１）ないし（６）に記載した効果を奏するロープ伸び量予測を行うことができる。
【００５０】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施例は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００５１】
５  インターネット
１０  エレベータ装置
１１  乗りかご
１３  釣合い錘
１７  ロープ
１９  エレベータ制御部
２１  エレベータ通信部
２３  温度センサ
２５  湿度センサ
３１  センタ通信部
３３  センタ制御部
３５  データベース
５０  ロープの初期伸びおよび経時的なロープの伸び（ロープの初期伸びおよび経時的伸び情報）
６０  季節によるロープの伸縮（季節性伸縮情報）
７０  ロープ伸び量の推移（納入時または交換時からのロープ使用時間に対する変化特性）
１００  ロープ伸び量予測システム
３５１  現場仕様情報格納部（仕様情報記憶手段）
３５２  現場環境情報格納部（環境情報記憶手段）
３５５  ロープ長確認・調整実績情報格納部（ロープ長確認・調整実績情報記憶手段）
３５６  ロープの季節性伸縮情報格納部（季節性伸縮情報記憶手段）
３５７  ロープの初期伸びおよび経時的情報格納部（伸び情報記憶手段）
３５８  ロープ長確認・調整指示情報格納部（ロープ長確認・調整指示情報記憶手段）
２００  気象台データベース
【図１】
2017149567.tif 000003
【図２】
2017149567.tif 000004